(57)【要約】【課題】既設戸枠を利用したカバー工法によって低コストかつ施工性の良好な改修戸枠の構造を提供する。【解決手段】既設戸枠１の幅方向一側部の正面側側面及び幅方向一側面を覆う略Ｌ字枠状の第１のカバー体１１と、既設戸枠１の幅方向他側部の正面側側面及び幅方向他側面を覆う略Ｌ字枠状の第２のカバー体１２と、既設戸枠１に対して釘１３によって固定される新設戸当り１４とを備え、第１及び第２のカバー体１１，１２は、既設戸枠１に取付けた状態で両カバー体１１，１２が幅方向に離間されるとともに、両カバー体１１，１２の正面側側面が面一とされ、両カバー体１１，１２の幅方向中央側側縁部は、新設戸当り１４によって正面側から覆い隠されているとともに、新設戸当り１４によって既設戸枠１に対して押付固定されている。【選択図】図７
2018096173.tif 000002
【特許請求の範囲】
【請求項１】
既設戸枠（１，２）の幅方向一側部の正面側側面及び幅方向外側面を覆う略Ｌ字枠状の第１のカバー体（１１，２１）と、既設戸枠の幅方向他側部の正面側側面及び幅方向外側面を覆う略Ｌ字枠状の第２のカバー体（１２，２２）と、既設戸枠に対して第１の固定具（Ｃ）によって固定される新設戸当り（１４，２４）とを備え、第１及び第２のカバー体は、既設戸枠に取付けた状態で両カバー体が幅方向に離間されるとともに、両カバー体の正面側側面が面一とされ、両カバー体の幅方向中央側側縁部は、新設戸当りによって正面側から覆い隠されているとともに、新設戸当りによって既設戸枠に対して押付固定されている、改修戸枠
【請求項２】
第１及び第２のカバー体は、既設戸枠の裏面側側面に当接係合する係合部（Ａ）を備えている、請求項１に記載の改修戸枠。
【請求項３】
第１及び第２のカバー体の幅方向中央側側縁部を既設戸枠に対して固定する第２の固定具（Ｂ）を備え、該第２の固定具は新設戸当りによって正面側から覆い隠される、請求項１又は２に記載の改修戸枠。
【請求項４】
既設戸枠には既設戸当り（１ａ）が設けられており、第１及び第２のカバー体は既設戸当りの幅方向両側に配設され、これら両カバー体の正面側側面が既設戸当りよりも正面側に位置している、請求項１，２又は３に記載の改修戸枠。
【発明の詳細な説明】
【技術分野】
【０００１】
本発明は、いわゆるカバー工法による改修戸枠に関し、特に木製戸枠の改修に関する。
【背景技術】
【０００２】
従来より戸枠を改修する目的でカバー工法が用いられることがあるが、主としてアルミサッシ枠の改修事例が多く（例えば下記の特許文献１〜３参照）、木製戸枠用のカバー工法による改修は普及していない。
【先行技術文献】
【特許文献】
【０００３】
【特許文献１】特開２０１０−１２１４１７号公報
【特許文献２】特開２００８−６３７２５号公報
【特許文献３】特開２００７−１３８５６０号公報
【発明の概要】
【発明が解決しようとする課題】
【０００４】
本発明は、木製戸枠の改修に利用することができ、低コストで施工作業性が良好な構造としつつも、施工後の美的外観に優れた改修戸枠を提供することを目的とする。
【課題を解決するための手段】
【０００５】
本発明は、上記目的を達成するために、次の技術的手段を講じた。
【０００６】
すなわち、本発明の改修戸枠は、既設戸枠の幅方向一側部の正面側側面及び幅方向外側面を覆う略Ｌ字枠状の第１のカバー体と、既設戸枠の幅方向他側部の正面側側面及び幅方向外側面を覆う略Ｌ字枠状の第２のカバー体と、既設戸枠に対して釘やネジなどの第１の固定具によって固定される新設戸当りとを備えている。なお、「正面側側面」とは、既設戸枠に向かって正面側の側面、すなわち、戸に対向する側面である。また、「既設戸枠の幅方向」とは、戸板の板幅方向（すなわち、戸が施工される開口部の厚さ方向）をいうものとする。
【０００７】
第１及び第２のカバー体は、既設戸枠に取付けた状態で両カバー体が幅方向に離間されるとともに、両カバー体の正面側側面が面一とされる。そして、両カバー体の幅方向中央側側縁部は、新設戸当りによって正面側から覆い隠されているとともに、新設戸当りによって既設戸枠に対して押付固定されている。
【０００８】
かかる本発明の改修戸枠によれば、２つのカバー体によって既設戸枠を覆い隠す構造とすることで、既設戸枠の寸法や損傷状態が変わっても、予め用意したカバー体を用いて現場で両カバー体の間の隙間を調整するなどにより対応できる。さらに、両カバー体の正面側側面に取付けた新設戸当りによって、両カバー体の幅方向中央側側縁部を覆い隠すことで、施工後は一つのパーツから戸枠が構成されているような外観とすることができ、デザイン性を向上できる。また、両カバー体の幅方向中央側側縁部を、既設戸枠に対して固定した新設戸当りによって既設戸枠に対して押付固定する構造とすることで、両カバー体を既設戸枠に固定するための釘やネジなどが少ない若しくは存在しなくとも、新設戸枠によって両カバー体を既設戸枠に押付固定でき、両カバー体の表面にネジや釘の頭部が現れることがなく、デザイン性を一層向上できる。
【０００９】
上記本発明の改修戸枠において、第１及び第２のカバー体は、既設戸枠の裏面側側面に当接係合する係合部を備えていてよい。これによれば、第１及び第２のカバー体の幅方向外側縁部が既設戸枠から浮き上がることを上記係合部によって防止できるとともに、既設戸枠の裏面側まで係合部によって覆い隠されるようになるため、一層のデザイン性向上が図られる。
【００１０】
また、第１及び第２のカバー体の幅方向中央側側縁部を既設戸枠に対して固定する第２の固定具（釘やネジなど）を備えていてもよい。これによれば、改修施工時に、新設戸当りを取付ける前に、第２の固定具によって各カバー体を既設戸枠に対して仮止めでき、一層の施工作業性向上が図られる。そして、第２の固定具は、新設戸当りによって正面側から覆い隠されるようにすることが好ましい。これによれば、各カバー体を既設戸枠に固定するための第２の固定具を備えるものでありながらも、デザイン性を良好なものとすることができる。
【００１１】
既設戸枠には通常既設戸当りが取付固定されており、戸枠の改修に際して既設戸当りは撤去することが好ましいが、接着剤などによって強固に固定されてしまって撤去できない場合がある。このような場合には、既設戸枠に既設戸当りが設けられたまま本発明の改修戸枠を施工できる。すなわち、既設戸枠には既設戸当りが設けられており、第１及び第２のカバー体は既設戸当りの幅方向両側に配設され、これら両カバー体の正面側側面が既設戸当りよりも正面側に位置している構造とすることができる。これによれば、両カバー体の間の隙間内に既設戸当りが埋入したような構造となり、既設戸当りを撤去せずとも本発明の改修戸当りを施工できる。
【発明の効果】
【００１２】
本発明によれば、既設戸枠を撤去することなく、その表面を第１及び第２のカバー体によって覆い隠すとともに、これら両カバー体の幅方向中央側側縁部を新設戸当りによって覆い隠すことによって、施工性に優れ低コストで施工できるものでありながらも美観に優れた改修戸枠を提供できる。
【図面の簡単な説明】
【００１３】
【図１】既設戸枠の構造を示す斜視図である。
【図２】縦枠の改修工程を示す斜視図である。
【図３】縦枠の改修工程を示す斜視図である。
【図４】縦枠の改修完了状態の斜視図である。
【図５】天枠の改修工程を示す斜視図である。
【図６】天枠の改修完了状態の斜視図である。
【図７】改修された縦枠（改修戸枠）の断面図である。
【図８】改修された天枠（改修戸枠）の断面図である。
【図９】本発明の別の実施例に係る改修戸枠の断面図である。
【図１０】本発明のさらに別の実施例に係る改修戸枠の断面図である。
【図１１】図１０の左側の縦枠の要部拡大正面図である。
【図１２】図１０の右側の縦枠の要部拡大正面図である。
【発明を実施するための形態】
【００１４】
図１は、改修される既設戸枠の構造の一例を示しており、該既設戸枠は、戸Ｄを取付けるために壁Ｗに設けられた開口部の左右両側に配設された既設縦枠１と、該既設縦枠１の上端部間に設けられた既設天枠２とからなる。壁Ｗはどのような構造であってもよいが、図示例では、間柱３の幅方向両側に壁板４を取付けた構造として例示している。
【００１５】
本実施例では、既設縦枠１、及び、既設天枠２のそれぞれを、順次本発明のカバー工法による改修を行う。
【００１６】
まず、既設縦枠１（既設戸枠）に対して、図２及び図３に示すように、既設縦枠１の幅方向一側部（図２において手前側の側部）の正面側側面及び幅方向外側面を既設縦枠１の略全長にわたって覆う略Ｌ字枠状の第１のカバー体１１と、既設縦枠１の幅方向他側部（図２において奥側の側部）の正面側側面及び幅方向外側面を既設縦枠１の略全長にわたって覆う略Ｌ字枠状の第２のカバー体１２とを、それぞれ幅方向外方から外嵌装着する。両カバー体１１，１２は、現場で既設縦枠１の全長にあわせて切断することができる。
【００１７】
なお、各カバー体１１，１２は木製とすることが好ましいが、プラスチック製乃至発泡樹脂成形品などであってもよい。
【００１８】
既設縦枠１は、その幅方向寸法が壁幅よりも若干大きくされ、既設縦枠１の幅方向両端部は壁面よりも若干幅方向に突出されている。そして、各カバー体１１，１２には、既設縦枠１の上記突出部の裏面側側面に当接係合するとともに、縦枠１１の全長にわたって前記裏面側側面を覆い隠す係合部Ａが一体的に設けられている。
【００１９】
これらカバー体１１，１２が既設縦枠１の幅方向両側部にそれぞれ取付けられた状態では、図２に示すように両カバー体１１，１２が幅方向に離間され、両カバー体１１，１２の間に、既設縦枠１の全長にわたって隙間が形成されるようになっている。また、両カバー体１１，１２の正面側側面は面一とされている。そして、かかる取付状態で、釘若しくは木ねじなどの固定具Ｂ（第２の固定具）によって、各カバー体１１，１２の幅方向中央側側縁部が既設縦枠１に対して固定されている。
【００２０】
その後、図３及び図４に示すように、両カバー体１１，１２の正面側側面に配設した新設戸当り１４を、釘若しくは木ねじなどの固定具Ｃ（第１の固定具）によって既設縦枠１に対して固定する。この新設戸当り１４によって、両カバー体１１，１２の幅方向中央側側縁部が、その全長にわたって正面側から覆い隠されているとともに、既設縦枠１に対して押付固定される。なお、図示例の新設戸当り１４は、図７に示すように、両カバー体１１，１２の幅方向中央側側縁部間の隙間に嵌まり込む凸部１４ａを一体に備えており、新設戸当り１４の幅方向の位置決めを容易に行えるようになっている。
【００２１】
このようにして改修された後の改修縦枠（改修戸枠）は、図７にも示すように、既設縦枠１が２つのカバー体１１，１２によって覆い隠されるとともに、これら両カバー体１１，１２の幅方向中央側側縁部並びに固定具Ｂが新設戸当り１４によって覆い隠されることによって、改修後は恰も縦枠が一つのパーツによって構成されているかの如き美的外観を呈することができ、その施工も容易で、且つ、改修のための構成パーツも２つのカバー体と新設戸当りの３つと少なく、低コストで施工できる。
【００２２】
なお、図示実施例では、既設縦枠１と既設天枠２との接合部の収まりを考慮して、各カバー体１１，１２の上端部に、既設天枠２に下方から外嵌する凹部Ｒを設けている。
【００２３】
縦枠１の改修後、次に、同様にして既設天枠２（既設戸枠）を、２つのカバー体２１，２２及び新設戸当り２４を用いて、図５、図６及び図８に示すように改修する。
【００２４】
本発明の改修戸枠は上記実施例の構造に限定されるものではなく、適宜設計変更できる。
【００２５】
例えば、図９に示すように、新設戸当り１４には凸部は設けられていなくともよく、また、２つのカバー体１１，１２の間の隙間は非常に小さくてもよい。また、戸Ｄが取付けられる側のカバー体１１には、戸Ｄを回動可能に支持するためのヒンジＨを取付けることができる。また、新設戸当り１４を既設戸枠１に固定するための固定具Ｃは、図示のようにいずれかのカバー体１１，１２をも貫通するよう打ち込むことができる。
【００２６】
また、図１０〜図１２に示すように、既設戸枠１には、既設戸当り１ａが設けられていてもよい。この場合、第１及び第２のカバー体１１，１２は、既設戸当り１ａの幅方向両側に配設することができる。また、両カバー体１１，１２の正面側側板部の板厚が大きくされており、これによりこれら両カバー体１１，１２の正面側側面が既設戸当りよりも正面側に位置するように構成している。かかる構成によって、両カバー体１１，１２の間に形成される幅方向中央部の隙間内に既設戸当り１ａが埋没するようになり、既設戸当り１ａと干渉することなく新設戸当り１４を両カバー体１１，１２の正面側に取付けることができる。
【００２７】
また、図１０〜図１２に示す実施例では、戸Ｄの図示右側の改修縦枠１にはヒンジＨを取付固定する一方、戸Ｄの図示左側の改修縦枠１には、ラッチを受けるための調整ストライクＳを取付固定している。また、改修縦枠１の第１のカバー体１１の正面側側面には、上下方向全長にわたる凹溝５が設けられており、図示左側の改修縦枠１においては調整ストライクＳのラッチ受け孔が凹溝５に重合するように調整ストライクＳを第１のカバー体１１に取付固定されている。一方、図示右側の改修縦枠１においては、凹溝５内に、金属製のサポート部材６と、該サポート部材６の上下方向の位置決めをするための木製乃至プラスチック製のスペーサ部材７とが嵌着されている。サポート部材６にはヒンジ取付用のビスが挿通されるビス取付孔が設けられており、これによりヒンジＨの取付強度を確保している。
【符号の説明】
【００２８】
１  既設縦枠（既設戸枠）
１ａ  既設戸当り
２  既設天枠（既設戸枠）
１１，２１  第１のカバー体
１２，２２  第２のカバー体
１４，２３  新設戸当り
Ａ  係合部
Ｂ  第２の固定具
Ｃ  第１の固定具
【図１】
2018096173.tif 000003
【図２】
2018096173.tif 000004
【図３】
2018096173.tif 000005
【図４】
2018096173.tif 000006
【図５】
2018096173.tif 000007
【図６】
2018096173.tif 000008
【図７】
2018096173.tif 000009
【図８】
2018096173.tif 000010
【図９】
2018096173.tif 000011
【図１０】
2018096173.tif 000012
【図１１】
2018096173.tif 000013
【図１２】
2018096173.tif 000014